(57)【特許請求の範囲】
【請求項１】
画像データとコントロール信号を含むＴＴＬ信号である画像信号をＬＶＤＳ信号に変換して伝送するＬＶＤＳ伝送部を有する画像信号伝送源と、
前記ＬＶＤＳ伝送部から伝送された前記ＬＶＤＳ信号をＴＴＬ信号に変換し、前記画像データに該当する信号をＬＶＤＳ信号に変換して伝送し、前記コントロール信号に該当する信号をタイミングフォーマットを変換してＴＴＬ信号で伝送するワンチップＩＣと、
前記ワンチップＩＣからＬＶＤＳ信号とＴＴＬ信号が入力され、入力された信号の中、前記ＬＶＤＳ信号をＴＴＬ信号に変換し、前記画像データと前記コントロール信号を含むＴＴＬ信号として液晶パネルを駆動するための信号を出力する複合ドライブＩＣを有する液晶パネルを具備し、
前記ワンチップＩＣは、ＬＶＤＳ受信機能とタイミングコントロール機能と画像データをＬＶＤＳ信号に変換する機能を有しており、ＬＶＤＳ受信機能によりＬＶＤＳ信号で伝送された画像データとコントロール信号をＴＴＬ信号に変換し、タイミングコントロール機能により画像データとコントロール信号との間のタイミングを調節し、画像データはＬＶＤＳ信号に変換して出力し、コントロール信号はＴＴＬ信号のまま出力することを特徴とする、平板ディスプレイシステム。
【請求項２】
前記画像信号伝送源は、ノートブックコンピュータ本体であることを特徴とする請求項１に記載の平板ディスプレイシステム。
【請求項３】
前記画像システム伝送源は、卓上用コンピュータ本体であることを特徴とする請求項１に記載の平板ディスプレイシステム。
【請求項４】
前記ワンチップＩＣと前記複合ドライブＩＣとの間のＬＶＤＳ信号ライン数は４本以下であることを特徴とする請求項１〜３のいずれかに記載の平板ディスプレイシステム。
【請求項５】
ＴＴＬ信号からＬＶＤＳ信号への変換が行われ、画像データを含むＴＴＬ信号が変換された第１ＬＶＤＳ信号と、コントロール信号を含むＴＴＬ信号が変換された第２ＬＶＤＳ信号を伝送するＬＶＤＳ伝送部を有する画像信号伝送源と、
前記第２ＬＶＤＳ信号が入力されてＴＴＬ信号に変換され、前記変換された信号をタイミングフォーマットを変換してＴＴＬ信号で伝送するワンチップＩＣと、
前記第１ＬＶＤＳ信号が入力されてＴＴＬ信号に変換され、前記ワンチップＩＣからＴＴＬ信号が入力され、入力されて変換された前記画像データと前記コントロール信号を含むＴＴＬ信号として液晶パネルを駆動するための信号を出力する複合ドライブＩＣを有する液晶パネルを具備し、
前記ワンチップＩＣは、ＬＶＤＳ受信機能とタイミングコントロール機能と画像データをＬＶＤＳ信号に変換する機能を有しており、ＬＶＤＳ受信機能により第１ＬＶＤＳ信号で伝送された画像データと第２ＬＶＤＳ信号で伝送されたコントロール信号をＴＴＬ信号に変換し、タイミングコントロール機能により画像データとコントロール信号との間のタイミングを調節し、画像データはＬＶＤＳ信号に変換して出力し、コントロール信号はＴＴＬ信号のまま出力することを特徴とする、平板ディスプレイシステムの画像信号インターフェース装置。
【請求項６】
前記画像信号伝送源は、ノートブックコンピュータ本体であることを特徴とする請求項５に記載の平板ディスプレイシステムの画像信号インターフェース装置。
【請求項７】
前記画像信号伝送源は、卓上用コンピュータ本体であることを特徴とする請求項５に記載の平板ディスプレイシステムの画像信号インターフェース装置。
【請求項８】
前記ＬＶＤＳ伝送部と前記複合ドライブＩＣとの間のＬＶＤＳ信号ライン数は４本以下であることを特徴とする請求項５〜７のいずれかに記載の平板ディスプレイシステムの画像信号インターフェース装置。
【発明の詳細な説明】
【０００１】
【発明の属する技術分野】
本発明は，平板ディスプレイシステムに関するものであり，特に液晶モジュールのような平板ディスプレイ装置において，低電圧差動シグナリング（Ｌｏｗ  Ｖｏｌｔａｇｅ  Ｄｉｆｆｅｒｅｎｔｉａｌ  Ｓｉｇｎａｌｉｎｇ，以下ＬＶＤＳという）技術を用いて，画像信号を伝送するインターフェース方法に関するものである。
【０００２】
【従来の技術】
最近の平板ディスプレイ装置は，製品としてより満足度の高い画面を具現するために，高周波数と高解像度を有するように開発されている。平板ディスプレイ装置の代表として液晶モジュールがあげられるが，ＸＧＡ級以上の液晶モジュールでは，ＥＭＩ伝送媒体を通じるノイズの問題があり，また，データ伝送数の制約により，高解像度を具現する上で限界があるという問題点がある。
【０００３】
従来の平板ディスプレイ装置は，ＴＴＬレベルでデータの伝送が行われる。このような環境で画像信号が高周波数を有し，該当周波数で電圧レベルが変動されると，ＥＭＩ問題が発生する。
【０００４】
そして，ＴＴＬレベルでデータまたはクロック信号を伝送する方法をとる場合，多くの伝送線路を必要とする。構成されるケーブルまたはコネクタの数が多いほど，外部ノイズ源に露出される確率が高くなる。ノイズ源にこれらのケーブルとコネクタのような伝送媒体が露出されると，正常的なデータとクロック信号にノイズが影響を与え，画面が非正常的に形成されるという悪影響が生じる。
【０００５】
また，フルカラー高解像度を具現するために通用されるグラフィックコントロールで支援されるデータの伝送ビット数は制限されている。従って，実際の二つのチャネルを用いる二分周駆動方式では，２６万カラー以上のカラーを有する高解像度の具現は容易ではない。
【０００６】
これを解決するために，コンピュータ本体と液晶モジュールとの間のインターフェースにＬＶＤＳ技術を導入することが試されている。ＬＶＤＳ技術はＩＥＥＥで１９９６年‘ＩＥＥＥ  Ｐ    １５９６．３’に示されており，低電源で伝送を実現するためのもので伝送速度が速い。
【０００７】
一般に，ＬＶＤＳ技術は平板ディスプレイシステムに適用される際に，大きく２つに区分される。１つはノートブックコンピュータに実装される液晶モジュールとマザーボード（Ｍｏｔｈｅｒ  Ｂｏａｒｄ）上のグラフィックコントロールとの間の狭帯域高速インターフェースを提供するためのものである。もう１つは卓上用コンピュータモニターのための長いケーブルを用いたものである。ＬＶＤＳ技術を平板ディスプレイシステムに適用した例を図１０及び図１１に示す。
【０００８】
図１0は，従来の平板ディスプレイシステムの画像信号インターフェース装置を示すブロック図である。図１0に示すように，ＬＶＤＳ伝送部１０は画像データとコントロール信号をＬＶＤＳ信号に変換して，ＬＶＤＳ受信部１２へ伝送する。この時，ＬＶＤＳ伝送部１０はノートブックコンピュータ本体に構成され，ＬＶＤＳ受信部１２とタイミングコントローラ１４及びドライブＩＣ１６は液晶モジュールの方に構成される
【０００９】
ＬＶＤＳ伝送部１０から伝送されたＬＶＤＳ信号は，ＬＶＤＳ受信部１２でＴＴＬ信号に変換され，ＬＶＤＳ受信部１２から出力されたＴＴＬ信号は，タイミングコントローラ１４で制御された後，タイミングフォーマットを変換されてドライブＩＣ１６に印加される。
【００１０】
図１１は，別の従来の平板ディスプレイシステムの画像信号インターフェース装置示すブロック図である。図１１に示すように，ＬＶＤＳ伝送部２０は画像データとコントロール信号をＬＶＤＳ信号に変換して，ワンチップ（ｏｎｅ−ｃｈｉｐ）ＩＣ２２へ伝送する。この時，ＬＶＤＳ伝送部２０はノートブックコンピューターの本体に構成され，ワンチップＩＣ２２とドライブＩＣ２４は液晶モジュールの方に構成される。
【００１１】
ワンチップＩＣ２２は，図１0のＬＶＤＳ受信部１２及びタイミングコントローラ１４が有するＬＶＤＳ受信機能及びタイミングコントロール機能を複合的に実行するように構成されたものである。よって，ワンチップＩＣ２２は，入力されるＬＶＤＳ信号をＴＴＬレベルに変換しながらタイミングフォーマットを変換し，タイミングフォーマットが変換されたＴＴＬ信号がドライブＩＣ２４に印加される。
【００１２】
【発明が解決しようとする課題】
しかしながら，前述の図１0及び図１１のような構成を有する従来の平板ディスプレイシステムの画像信号インターフェース装置は，液晶モジュールに多数の部品ブロックと周辺受動素子等の構成が必要となる。その中で，タイミングフォーマットのための構成，すなわちタイミングコントローラ１４及びワンチップＩＣ２２は，ドライブＩＣ１６，２４とそれぞれ高周波ＴＴＬ信号でインターフェースされるので，ＥＭＩが発生しやすく，ノイズに影響されやすい。
【００１３】
また，従来の液晶モジュールで画像信号をインターフェースする際，ＴＴＬ信号でドライブＩＣにデータが伝送されるので，相当数のデータの伝送ラインを形成しなくてはならない。このため設計が複雑となり４個層以上のプリント回路基板が要求され，製作単価が高くなるという問題点があった。その上，多くのデータ伝送ラインを形成することによりＥＭＩ問題が発生するため，ＥＭＩ防止用の部品を追加しなくてはならない。
【００１４】
本発明は，このような問題に鑑みてなされたもので，その目的とするところは，液晶モジュールの内部に画像信号を伝送するために構成される伝送媒体によるＥＭＩ問題を解決することにある。本発明の別の目的は，液晶モジュールの画像データインターフェースのための伝送媒体が，ノイズ源に露出されるために受ける影響を低減することにある。また，本発明の別の目的は，液晶モジュールの画像信号インターフェースをＬＶＤＳ技術で具現することによって，少量の伝送ラインで多量のデータを高速に伝送してフルカラー高解像度を実現することにある。また，本発明の更に別の目的は，液晶モジュールの画像信号を伝送するために構成される部品の数と配線の数を低減して配線構造を改善することにある。
【００１５】
【課題を解決するための手段】
上記課題を解決するために，本発明は，請求項1に記載のように，画像信号伝送源から画面を形成するためのディスプレイ信号を出力する複合ドライブ集積回路まで，画像データを含む画像信号を低電圧差動シグナリング（以下，Ｌｏｗ  Ｖｏｌｔａｇｅ  Ｄｉｆｆｅｒｅｎｔｉａｌ  Ｓｉｇｎａｌｉｎｇ，以下ＬＶＤＳという）信号で伝送することを特徴とする平板ディスプレイシステムの画像信号インターフェース方法を提供する。これより，少数の伝送ラインで多量のデータを高速に伝送できるため，フルカラー高解像度を実現でき，なおかつ配線数や部品数を少なく構成できるため，ＥＭＩ問題が発生せず，製造単価も低減できる。その際に請求項２に記載のように，前記画像データに対する前記ＬＶＤＳ信号は，前記画像信号伝送源から前記複合ドライブ集積回路に直接伝送されるようにすれば，構成が更に簡単になり，平板ディスプレイ装置の軽薄短小化を更に効果的に行うことができる。
【００１６】
本発明の別の観点によれば，請求項３に記載のように，画像データとコントロール信号を含むＴＴＬ信号である画像信号をＬＶＤＳ信号に変換して伝送するＬＶＤＳ伝送部を有する画像信号伝送源と，前記ＬＶＤＳ伝送部から伝送された前記ＬＶＤＳ信号をＴＴＬ信号に変換し，前記画像データに該当する信号をＬＶＤＳ信号に変換して伝送し，前記コントロール信号に該当する信号をタイミングフォーマットを変換してＴＴＬ信号で伝送するワンチップＩＣと，前記ワンチップＩＣからＬＶＤＳ信号とＴＴＬ信号が入力され，入力された信号の中，前記ＬＶＤＳ信号をＴＴＬ信号に変換し，前記画像データと前記コントロール信号を含むＴＴＬ信号として液晶パネルを駆動するための信号を出力する複合ドライブＩＣを有する液晶パネルを具備することを特徴とする平板ディスプレイシステムが提供される。これより，少数の伝送ラインで多量のデータを高速に伝送できるため，フルカラー高解像度を実現でき，なおかつ配線数や部品数を少なく構成できるため，ＥＭＩ問題が発生せず，製造単価も低減できる。
【００１７】
なお，請求項４に記載のように，前記画像信号伝送源は，ノートブックコンピュータ本体でもよく，あるいは，請求項５に記載のように，卓上用コンピュータ本体でもよい。さらに，請求項６に記載にように，前記ワンチップＩＣと前記複合ドライブＩＣとの間のＬＶＤＳ信号ライン数は４本以下であることが好ましい。
【００１８】
さらに，本発明の別の観点によれば，請求項７に記載のように，ＴＴＬ信号からＬＶＤＳ信号への変換が行われ，画像データを含むＴＴＬ信号が変換された第１ＬＶＤＳ信号と，コントロール信号を含むＴＴＬ信号が変換された第２ＬＶＤＳ信号を伝送するＬＶＤＳ伝送部を有する画像信号伝送源と，前記第２ＬＶＤＳ信号が入力されてＴＴＬ信号に変換され，前記変換された信号をタイミングフォーマットを変換してＴＴＬ信号で伝送するワンチップＩＣと，前記第１ＬＶＤＳ信号が入力されてＴＴＬ信号に変換され，前記ワンチップＩＣからＴＴＬ信号が入力され，入力されて変換された前記画像データと前記コントロール信号を含むＴＴＬ信号として液晶パネルを駆動するための信号を出力する複合ドライブＩＣを有する液晶パネルを具備することを特徴とする平板ディスプレイシステムの画像信号インターフェース装置が提供される。これより，少数の伝送ラインで多量のデータを高速に伝送できるため，フルカラー高解像度を実現でき，なおかつ配線数や部品数を少なく構成できるため，ＥＭＩ問題が発生せず，製造単価も低減できる。
【００１９】
なお，請求項８に記載のように，前記画像信号伝送源は，ノートブックコンピュータ本体でもよく，あるいは，請求項９に記載のように，卓上用コンピュータ本体でもよい。さらに，請求項１０に記載にように，前記ＬＶＤＳ伝送部と前記複合ドライブＩＣとの間のＬＶＤＳ信号ライン数は４本以下であることが好ましい。
【００２０】
【発明の実施の形態】
以下，図面に基づいて本発明の実施の形態を詳細に説明する。本発明の実施の形態は，平板ディスプレイシステムの画像信号インターフェースのためのものであり，これらを構成する部品はそれぞれノートブックコンピュータまたは卓上用コンピュータ本体と液晶モジュールに実装される。インターフェースはＲ，Ｇ，Ｂ各６ビット分量の画像データを含むＬＶＤＳ信号を伝送するように行われる。
【００２１】
図１は，本発明の第１の実施の形態に係る平板ディスプレイシステムの画像信号インターフェース装置を示すブロック図である。ＬＶＤＳ伝送部３０は，ノートブックコンピュータまたは卓上用コンピュータ本体のような画像信号伝送源に構成される。ＬＶＤＳ伝送部３０は，ノートブックコンピュータまたは卓上用コンピュータ本体からＴＴＬ信号として発生された，ディスプレイのための画像データとそれのためのコントロール信号をＬＶＤＳ信号に変換する。
【００２２】
ＬＶＤＳ伝送部３０から出力されるＬＶＤＳ信号は，平板ディスプレイ装置である液晶モジュール（図示せず）に伝送される。液晶モジュールにはワンチップＩＣ３２と複合ドライブＩＣ３４が構成されており，画面が形成される液晶パネルが形成されている。
【００２３】
ワンチップＩＣ３２は，ＬＶＤＳ受信機能とタイミングコントロール機能と画像データをＬＶＤＳ信号に変換する機能を有する。ここで，ＬＶＤＳ受信機能とは，ＬＶＤＳ信号で伝送された画像データとコントロール信号をＴＴＬ信号に変換する機能であり，タイミングコントロール機能とは，データとコントロール信号との間のタイミングを調節する機能である。ワンチップＩＣ３２は，タイミング調節された画像データとコントロール信号を複合ドライブＩＣ３４に伝送し，この時，画像データはＬＶＤＳ信号に変換されて出力されて，コントロール信号は変換されずＴＴＬ信号でそのまま伝送される。
【００２４】
本実施の形態では，ＬＶＤＳ伝送部３０は，ＬＶＤＳ信号である画像信号をワンチップＩＣ３２へ伝送するように構成され，ワンチップＩＣ３２は，画像データを含むＬＶＤＳ信号とコントロール信号であるＴＴＬ信号とを区分して複合ドライブＩＣ３４に伝送するように構成される。そして，複合ドライブＩＣ３４は，液晶パネルを駆動する信号を出力するように構成される。
【００２５】
前述において，各部品にはＬＶＤＳ信号をＴＴＬ信号に変換して受信する機能とＴＴＬ信号をＬＶＤＳ信号に変換して伝送する機能とが内装されている。ＴＴＬ信号からＬＶＤＳ信号への変換は図２の構成により行うことができ，ＬＶＤＳ信号からＴＴＬ信号への変換は図３の構成により行うことができる。
【００２６】
図２に基づいて，ＴＴＬ信号がＬＶＤＳ信号に変化する過程を説明する。液晶モジュールで所定画面のディスプレイのために出力される画像信号は，画像データとそのコントロール信号とに区分できる。画像データは三色，すなわち，赤（Ｒ），緑（Ｇ）及び青（Ｂ）に対する各６ビットずつのデータであり，これらのデータは１８ラインＴＴＬ信号伝送ラインを通じてＴＴＬ−ＴＯ−ＬＶＤＳ変換機４０に印加される。
【００２７】
コントロール信号は水平同期信号Ｈｓｙｎｃ，垂直同期信号Ｖｓｙｎｃ，データイネーブル信号ＤＥ及びクロック信号ＣＬＫからなり，これらは４ラインの該当ＴＴＬ信号伝送ラインを通じて，前者３つの信号はＴＴＬ−ＴＯ−ＬＶＤＳ変換機４０に印加され，クロック信号ＣＬＫは位相同期ループ（Ｐｈａｓｅ  Ｌｏｃｋｅｄ  Ｌｏｏｐ，以下，ＰＬＬという）４２に印加される。
【００２８】
ＰＬＬ４２はＴＴＬ−ＴＯ−ＬＶＤＳ変換機４０に動作のための基準クロックを提供するように構成されており，基準クロックは入力されたクロック信号ＣＬＫに同期したものである。ＴＴＬ−ＴＯ−ＬＶＤＳ変換機４０は，基準クロックを用いて図4に示すようなフォーマットでＴＴＬ信号をＬＶＤＳ信号に変換し，バッファ４４ａ，４４ｂ，４４ｃを通じて各伝送ライン毎に伝送されるＬＶＤＳ信号ＩＮ０，ＩＮ１，ＩＮ２を出力する。そして，ＰＬＬ４２もクロック信号ＣＬＫをＬＶＤＳ信号に変換してバッファ４４ｄを通じてクロック信号ＣＫＩＮを出力する。
【００２９】
次に，図３に基づいて，ＬＶＤＳ信号がＴＴＬ信号に変換される過程を説明する。ＩＮ０，ＩＮ１，ＩＮ２を通じて伝送された画像データを含むＬＶＤＳ信号は，バッファ５０ａ，５０ｂ，５０ｃを通じてＬＶＤＳ−ＴＯ−ＴＴＬ変換機５２に入力される。ＣＫＩＮで伝送されたＬＶＤＳ信号は，バッファ５０ｄ通じてＰＬＬ５４に入力され，ＰＬＬ５４からＴＴＬ信号で基準信号がＬＶＤＳ−ＴＯ−ＴＴＬ変換機５２に提供される。ＬＶＤＳ−ＴＯ−ＴＴＬ変換機５２は入力されたＬＶＤＳ信号をＴＴＬ信号に変換して該当伝送ラインに出力する。すなわち，ＴＴＬ信号で画像データＲ，Ｇ，Ｂに該当する１８ビットのデータと各制御信号がＴＴＬ伝送ラインへ伝送され，クロック信号ＣＬＫもＰＬＬ５４から出力されて該当ＴＴＬ伝送ラインを通じて伝送される。
【００３０】
ここで，ＬＶＤＳ信号は，図4に示すように，一つの伝送ラインを通じて伝送される信号に複数個（７個）のチャネルを含み，各チャネルはＴＴＬ伝送ラインに対して１：１に対応できる。よって，複数個（７個）のＴＴＬ信号伝送ラインが１つのＬＶＤＳ伝送ラインに代替できる。図２及び図３に基づき上記に説明したように，図１に示す構成部品におけるＬＶＤＳ信号とＴＴＬ信号との変換が行われる。
【００３１】
本実施の形態において，ワンチップＩＣ３２はＬＶＤＳ伝送部３０から伝送された信号を先ずＴＴＬ信号に変換し，この状態でタイミングコントロールが行われる。すなわち，各ＴＴＬ信号のタイミングフォーマットをディスプレイのために変換させる。
【００３２】
タイミングコントロールされたＴＴＬ信号のうち，画像データはＬＶＤＳ信号に変換されて複合ドライブＩＣ３４へ伝送され，コントロール信号はＴＴＬ信号をそのまま複合ドライブＩＣ３４へ伝送する。複合ドライブＩＣ３４は，画像データを含む伝送されたＬＶＤＳ信号をＴＴＬ信号に変換させ，このように変換された画像データとＴＴＬ信号で入力されたコントロール信号によって駆動信号が液晶パネルに印加され，液晶パネルは入力されたデータによって所定画面をディスプレイする。
【００３３】
本実施の形態によれば，画像データは，ノートブックコンピュータまたは卓上用コンピュータの本体から複合ドライブＩＣ３４まで全経路をＬＶＤＳ信号で伝送され，それによって４つまたは３つの伝送ラインで画像データのための伝送ラインが形成できる。ＬＶＤＳ信号でデータの伝送が行われるため，データを形成するための電圧レベルが低く，高速デジタル伝送時，電圧のスイング（Ｓｗｉｎｇ）が最小限になるよう調節でき，配線量も少なくでき，ＥＭＩ問題が発生しない。
【００３４】
また，電圧スイングの調節と，データとクロックパルスとの間の同期化によってノイズ問題も発生しない。そして，前述のような伝送ラインの構成により配線形成が簡単であるから，二層構造のプリント回路基板が利用でき，また，構成に必要な部品数が少ないため，製造単価を低減できる。
【００３５】
図５は，本発明の第２の実施の形態に係る平板ディスプレイシステムの画像信号インターフェース装置を示すブロック図である。本実施の形態では，図5に示すように，画像データを直接ドライブ用途に伝送し，コントロール信号だけをタイミングコントロールするように装置を構成する。ＬＶＤＳ伝送部７０は，ノートブックコンピュータまたは卓上用コンピュータ本体に構成される。液晶パネルを駆動するための複合ドライブＩＣ７２と，コントロール信号のインターフェースのためのワンチップＩＣ７４は，平板ディスプレイ装置である液晶モジュールの方に構成される。
【００３６】
ＬＶＤＳ伝送部７０の機能は，第１の実施の形態のＬＶＤＳ伝送部３０の機能と同様に，液晶モジュールへ伝送するＴＴＬ信号をＬＶＤＳ信号に変換して伝送するものである。ＬＶＤＳ伝送部７０は，画像データを含むＬＶＤＳ信号は複合ドライブＩＣ７２へ直接伝送し，コントロール信号を含むＬＶＤＳ信号はワンチップＩＣ７４へ伝送する。
【００３７】
従って，ワンチップＩＣ７４は，入力されたＬＶＤＳ信号をＴＴＬ信号に変換し，ＴＴＬ信号に変換されたコントロール信号は，タイミングフォーマットが変換された後，ＴＴＬ信号として複合ドライブＩＣ７２へ伝送される。複合ドライブＩＣ７２は画像データを含むＬＶＤＳ信号をＴＴＬ信号に変換し，その後ＴＴＬ信号で伝送されたコントロール信号と画像データを出力して液晶パネルを駆動させる。
【００３８】
本実施の形態においては，第１の実施の形態より更に簡単な構成を有し，ワンチップＩＣ７４のピン構成が簡単になり大きさも縮小できるため，平板ディスプレイ装置の軽薄短小化を更に効果的に行うことができる。また，本実施の形態によれば，第１の実施の形態と同様にＬＶＤＳ信号でデータの伝送が行われるので，データを形成するための電圧レベルが低く，高速デジタル伝送時，電圧のスイングが最小化するように調節できる。さらに，少数の配線で画像データとコントロール信号の伝送が行われるので，ＥＭＩ問題が発生せず，部品の数が減って製造単価を低減できる。
【００３９】
図６に，以上述べた本発明の実施の形態が適用可能な，液晶モジュールの構成の一部を示す。液晶モジュールは，液晶パネル８０とソースプリント回路基板８２及びゲートプリント回路基板８４の組み合わせから構成される。ソースプリント回路基板８２とゲートプリント回路基板８４には，両者間のインターフェースのためのケーブル９８が接続されている。また，ソースプリント回路基板８２には外部とのインターフェースのためのケーブル９６も接続されている。ソースプリント回路基板８２及びゲートプリント回路基板８４は，液晶パネル８０へデータ信号とゲート信号をテープキャリヤパッケージ８６，８８を通じて印加する。
テープキャリヤパッケージ８８にはゲートドライブ集積回路９２が実装され，テープキャリヤパッケージ８６には複合ドライブＩＣ９０が実装される。そして，ソースプリント回路基板８２上には，ワンチップＩＣ９４が実装され，それに伴う配線が形成される。この時，ワンチップＩＣ９４と複合ドライブＩＣ９０の構成及び配線は，図1または図5に示した実施の形態から選択して適用することにより決定できる。
【００４０】
そして，シリアルに伝送されるＬＶＤＳ信号を，複数個に構成された複合ドライブＩＣ９０に入力する方法は多様に考案できる。例えば，複合ドライブＩＣ９０はシリアルに伝送されるＬＶＤＳ信号を受信し，液晶パネル８０の各画素毎にパラレルに出力するように図7または図8のように構成できる。
【００４１】
図7に示すように，データ信号を処理するために，複合ドライブＩＣ１００，１０２，１０４…は所定個数構成される。第１及び第２の実施の形態のように，複合ドライブＩＣ１００，１０２，１０４…に，シリアルデータ情報を含むＬＶＤＳ信号とＴＴＬレベルのパラレルコントロール信号が並列に入力される。そして，複合ドライブ１００，１０２，１０４…には，これと共にデータ情報として各画素を表現するために階調電圧（ｇｒａｙ  ｓｃａｌｅ  ｖｏｌｔａｇｅ）が印加される。
【００４２】
また，複合ドライブＩＣ１００には水平シフト信号ＳＴＨがキャリイン端子として入力され，所定クロックの間のシフト時間経過後，複合ドライブＩＣ１００のキャリアウト信号が発生して，次の複合ドライブＩＣ１０２のキャリイン端子に入力され，このようなキャリ信号の伝達が順次に複合ドライブＩＣの間に行われる。
【００４３】
従って，前述のように複合ドライブＩＣ１００，１０２，１０４…が構成されることによって，各複合ドライブＩＣ１００，１０２，１０４…は，キャリイン端子を通じて水平シフト信号ＳＴＨ，またはキャリイン信号が入力されてシフトされる間イネーブルされてＬＶＤＳ信号に入力されるデータ信号を読み込む。
【００４４】
具体的に説明すると，ＬＶＤＳ信号で伝送されるシリアルデータ情報は，前述の水平シフト信号ＳＴＨまたはキャリイン信号が印加される時点を基準に，各複合ドライブＩＣ１００，１０２，１０４…毎に分割され，この分割されたＬＶＤＳ信号に含まれるシリアルデータ情報によって複合ドライブＩＣ１００，１０２，１０４…は複数個のデータ信号出力ライン毎に階調電圧が決定される。
【００４５】
すなわち，このような複合ドライブＩＣ１００，１０２，１０４…は水平シフト信号ＳＴＨまたはキャリイン信号が内部でシフトされる間，シリアルにＬＶＤＳ信号を入力される。そして，水平シフト信号ＳＴＨとキャリイン信号は，内部に構成されたシフトレジストで順次に一方向にシフトされ，シリアルに入力されたＬＶＤＳ信号がＴＴＬ信号に変換されたデータ信号に変換され，その後，データ信号がラッチを用いて画素毎に並列に出力するパラレルラインに分割され，分割されたデータは画素毎にエンコーディングされ，エンコーディングされた結果によって選択される階調電圧が複合ドライブＩＣの個別ラインの出力になる。それによって各複合ドライブＩＣ１００，１０２，１０４…はソース信号であるデータ信号Ｓｏｕｔ１，Ｓｏｕｔ２またはＳｏｕｔ３等を液晶パネル８０へ出力する。
【００４６】
図８は図７とは別の複合ドライブＩＣの構成を示すブロック図である。図8に示すように，各複合ドライブＩＣ１１０，１１２，１１４…が，個別的に入力されるイネーブル信号によってＬＶＤＳ信号の入力イネーブル状態，またはディスエーブル状態に設定されるように構成されている。図8はデータ信号を処理するために，複合ドライブＩＣ１１０，１１２，１１４…が所定個数構成され，図7の場合と同様に，複合ドライブＩＣ１１０，１１２，１１４…にシリアルデータ情報を含むＬＶＤＳ信号とＴＴＬレベルのパラレルコントロール信号が並列に入力され，各画素表現のための階調電圧が印加される。
【００４７】
また，複合ドライブＩＣ１１０には水平シフト信号ＳＴＨがキャリイン端子として入力され，所定クロックの間のシフト時間経過後，複合ドライブＩＣ１１０のキャリアウト端子を通じてキャリアウト信号が発生されて次の複合ドライブＩＣ１１２のキャリイン端子として入力され，このようなキャリ信号の伝達が順次に複合ドライブＩＣの間に行われる。そして，各複合ドライブＩＣ等１１０，１１２，１１４…に個別的にイネーブル信号ＥＮ１，ＥＮ２，ＥＮ３等が入力される。ここで複合ドライブＩＣの動作は前述の図7の場合と同一であり，イネーブル信号ＥＮ１，ＥＮ２，ＥＮ３…が，ＬＶＤＳ信号が複合ドライブＩＣ１１０，１１２，１１４…に入力される区間を決定する。
【００４８】
すなわち，図9のように，データ信号が１水平周期（１Ｈ）単位でシリアルに伝送され，水平シフト信号ＳＴＨに同期されたイネーブル信号ＥＮ１，ＥＮ２，ＥＮ３等が各複合ドライブＩＣ１１０，１１２，１１４…にハイ区間が順次にシフトされるように入力され，これによって複合ドライブＩＣ１１０，１１２，１１４…はハイレベルでイネーブル信号が入力される間，シリアルに伝送されるＬＶＤＳ信号が入力される。上記のように，複合ドライブＩＣにＬＶＤＳ信号を入力する方法は製作者の意図に応じて多様に決定できる。
【００４９】
以上，添付図面を参照しながら本発明にかかる平板ディスプレイシステム，平板ディスプレイシステムの画像信号インターフェース装置及びその方法の好適な実施形態について説明したが，本発明はかかる例に限定されないことは言うまでもない。当業者であれば，特許請求の範囲に記載された技術的思想の範疇内において，各種の変更例または修正例に想到し得ることは明らかであり，それらについても当然に本発明の技術的範囲に属するものと了解される。
【００５０】
【発明の効果】
以上，詳細に説明したように本発明によれば，液晶モジュールの画像信号インターフェースをＬＶＤＳ技術で具現し，少量の伝送ラインで多量のデータを高速に伝送することによって，フルカラー高解像度を有する平板ディスプレイ装置の構成が可能になる。本発明の別の観点によれば，液晶モジュール内で少量のラインで伝送ラインが構成されるので，ＥＭＩ問題が発生せず，ノイズ源に伝送ラインが露出されても影響を最小にできる。さらに本発明の別の観点によれば，平板ディスプレイ装置の画像信号を伝送する部品の数と配線の数を最小化することによって製造単価が低減され，配線構造が改善される効果を奏する。
【図面の簡単な説明】
【図１】  本発明の第１の実施の形態に係る平板ディスプレイシステムの画像信号インターフェース装置を示すブロック図である。
【図２】  本発明の第１の実施の形態に係るＬＶＤＳ信号をＴＴＬ信号に変換して伝送するための回路図である。。
【図３】  本発明の第１の実施の形態に係るＴＴＬ信号をＬＶＤＳ信号に変換して伝送するための回路図である。
【図４】  本発明の第１の実施の形態に係る１８ビットカラー情報のＬＶＤＳ信号を示す波形図である。
【図５】  本発明の第２の実施の形態に係る平板ディスプレイシステムの画像信号インターフェース装置を示すブロック図である。
【図６】  本発明の実施の形態が適用される液晶モジュールの一部分を示す概略平面図である。
【図７】  液晶モジュールに実装される複合ドライブＩＣの構成を示すブロック図である。
【図８】  液晶モジュールに実装される複合ドライブＩＣの構成を示すブロック図である。
【図９】  図8のＬＶＤＳ信号とイネーブル（Ｅｎａｂｌｅ）信号とのタイミングを説明するタイミングチャートである。
【図１０】  従来の平板ディスプレイシステムの画像信号インターフェース装置を示すブロック図である。
【図１１】  従来の平板ディスプレイシステムの他の画像信号インターフェース装置を示すブロック図である。
【符号の説明】
１２        ＬＶＤＳ受信部
１４        タイミングコントローラ
１６，２４        ドライブＩＣ
１０，２０，３０，７０        ＬＶＤＳ伝送部
２２，３２，７４        ワンチップＩＣ
３４，７２        複合ドライブＩＣ
４０，５２        ＴＴＬ−ＴＯ−ＬＶＤＳ変換機
４２，５４        ＰＬＬ
４４ａ，４４ｂ，４４ｃ，４４ｄ        バッファ
５０ａ，５０ｂ，５０ｃ，５０ｄ        バッファ
８０        液晶パネル
８２        ソースプリント回路基板
８４        ゲートプリント回路基板
８６，８８        テープキャリヤパッケージ
９０        複合ドライブＩＣ
９２        ゲートドライブ集積回路
９４        ワンチップＩＣ
９６，９８        ケーブル
１００，１０２，１０４…        複合ドライブＩＣ
１１０，１１２，１１４…        複合ドライブＩＣ
【図１】
0004562225.tif 000002
【図２】
0004562225.tif 000003
【図３】
0004562225.tif 000004
【図４】
0004562225.tif 000005
【図５】
0004562225.tif 000006
【図６】
0004562225.tif 000007
【図７】
0004562225.tif 000008
【図８】
0004562225.tif 000009
【図９】
0004562225.tif 000010
【図１０】
0004562225.tif 000011
【図１１】
0004562225.tif 000012